(57)【要約】【課題】認知症の兆候を早期に判定することが可能な診断支援システム、診断支援システムの作動方法、及びプログラムを提供する。【解決手段】診断支援システム１は、メンタル・ローテーション課題を遂行している被験者の視線の動きを測定する眼球運動解析装置３００と、眼球運動解析装置３００により測定された被験者の視線の動きに基づいて、固視点を検出し、検出された固視点の分布に基づいて、被験者が軽度認知機能障害であるかどうかを判定する判定装置１００と、を備える。また、診断支援システム１は、１つの参照画像と複数の選択肢画像とを含むメンタル・ローテーション課題に関する画像を表示する表示装置２００を備えてもよい。【選択図】図１
2018175052.tif 000002
【特許請求の範囲】
【請求項１】
メンタル・ローテーション課題を遂行している被験者の視線の動きを測定する測定手段と、
前記測定手段により測定された被験者の視線の動きに基づいて、固視点を検出する固視点検出手段と、
前記固視点検出手段により検出された固視点の分布に基づいて、被験者が軽度認知機能障害であるかどうかを判定する判定手段と、
を備える診断支援システム。
【請求項２】
前記固視点検出手段により検出された固視点に基づいて、被験者がメンタル・ローテーション課題の正答選択肢画像を固視した固視数と誤答選択肢画像を固視した固視数とを検出する固視数検出手段を備え、
前記判定手段は、前記固視数検出手段により検出された正答選択肢画像上の固視数と誤答選択肢画像上の固視数とに基づいて、被験者が軽度認知機能障害であるかどうかを判定する、
請求項１に記載の診断支援システム。
【請求項３】
前記固視数検出手段により検出された正答選択肢画像上の固視数と誤答選択肢画像上の固視数とに基づいて、正答選択肢画像上の固視数に対する誤答選択肢画像上の固視数の比を示すＲＣ比を算出するＲＣ比算出手段を備え、
前記判定手段は、前記ＲＣ比算出手段により算出されたＲＣ比が所定の比よりも大きい場合、被験者が軽度認知機能障害であると判定する、
請求項２に記載の診断支援システム。
【請求項４】
前記所定の比は、約０．４０〜約０．５０の範囲内である、
請求項３に記載の診断支援システム。
【請求項５】
前記判定手段は、参照画像を１８０°回転させるメンタル・ローテーション課題を出題した場合の被験者の視線の動きに基づいて、被験者が軽度認知機能障害であるかどうかを判定する、
請求項１から４のいずれか１項に記載の診断支援システム。
【請求項６】
１つの参照画像と複数の選択肢画像とを含むメンタル・ローテーション課題に関する課題画像を表示する表示手段を備える、
請求項１から５のいずれか１項に記載の診断支援システム。
【請求項７】
測定手段が、メンタル・ローテーション課題を遂行している被験者の視線の動きを測定するステップと、
固視点検出手段が、前記測定手段により測定された被験者の視線の動きに基づいて、固視点を検出するステップと、
判定手段が、前記固視点検出手段により検出された固視点の分布に基づいて、被験者が軽度認知機能障害であるかどうかを判定するステップと、
を含む診断支援システムの作動方法。
【請求項８】
コンピュータを、
メンタル・ローテーション課題を遂行している被験者の視線の動きに関するデータを取得する取得手段、
前記取得手段により取得された被験者の視線の動きに関するデータに基づいて、固視点を検出する固視点検出手段、
前記固視点検出手段により検出された固視点の分布に基づいて、被験者が軽度認知機能障害であるかどうかを判定する判定手段、
として機能させるプログラム。
【発明の詳細な説明】
【技術分野】
【０００１】
本発明は、診断支援システム、診断支援システムの作動方法、及びプログラム、特に認知症の兆候を早期に発見するための診断支援システム、診断支援システムの作動方法、及びプログラムに関する。
【背景技術】
【０００２】
近年、高齢化社会の本格化に伴い認知症の患者が増加している。認知症とは、正常に発達した種々の精神機能が慢性的に減退、消失することにより、日常生活を営めなくなる状態である。認知症の症状が進行すると精神機能の回復が困難になるため、患者の認知症を早期に発見し、治療することが重要である。
【０００３】
そこで、医師等による認知症の診断を支援するための診断支援システムの開発が進められている。例えば、特許文献１には、対象者のスケジュールを記憶した記憶部と、対象者の行動を継続的に検知する行動検知部と、対象者がスケジュールのとおりに行動したか否かを判定する判定部と、を備える診断支援システムが開示されている。
【先行技術文献】
【特許文献】
【０００４】
【特許文献１】特開２０１６−２２１０８７号公報
【発明の概要】
【発明が解決しようとする課題】
【０００５】
特許文献１の診断支援システムは、緩やかな変化を捉えにくい健忘症状に基づいて認知症の有無を判定するため、認知症の疾患境界域における判定が困難である。このため、特許文献１の診断支援システムは、認知症の兆候を早期に発見することができない、という問題がある。
【０００６】
本発明は、このような背景に基づいてなされたものであり、認知症の兆候を早期に判定することが可能な診断支援システム、診断支援システムの作動方法、及びプログラムを提供することを目的とする。
【課題を解決するための手段】
【０００７】
上記目的を達成するために、本発明の第１の観点に係る診断支援システムは、
メンタル・ローテーション課題を遂行している被験者の視線の動きを測定する測定手段と、
前記測定手段により測定された被験者の視線の動きに基づいて、固視点を検出する固視点検出手段と、
前記固視点検出手段により検出された固視点の分布に基づいて、被験者が軽度認知機能障害であるかどうかを判定する判定手段と、
を備える。
【０００８】
前記診断支援システムは、前記固視点検出手段により検出された固視点に基づいて、被験者がメンタル・ローテーション課題の正答選択肢画像を固視した固視数と誤答選択肢画像を固視した固視数とを検出する固視数検出手段を備え、
前記判定手段は、前記固視数検出手段により検出された正答選択肢画像上の固視数と誤答選択肢画像上の固視数とに基づいて、被験者が軽度認知機能障害であるかどうかを判定してもよい。
【０００９】
前記診断支援システムは、前記固視数検出手段により検出された正答選択肢画像上の固視数と誤答選択肢画像上の固視数とに基づいて、正答選択肢画像上の固視数に対する誤答選択肢画像上の固視数の比を示すＲＣ比を算出するＲＣ比算出手段を備え、
前記判定手段は、前記ＲＣ比算出手段により算出されたＲＣ比が所定の比よりも大きい場合、被験者が軽度認知機能障害であると判定してもよい。
【００１０】
前記所定の比は、約０．４０〜約０．５０の範囲内であってもよい。
【００１１】
前記判定手段は、参照画像を１８０°回転させるメンタル・ローテーション課題を出題した場合の被験者の視線の動きに基づいて、被験者が軽度認知機能障害であるかどうかを判定してもよい。
【００１２】
前記診断支援システムは、１つの参照画像と複数の選択肢画像とを含むメンタル・ローテーション課題に関する課題画像を表示する表示手段を備えていてもよい。
【００１３】
上記目的を達成するために、本発明の第２の観点に係る診断支援システムの作動方法は、
測定手段が、メンタル・ローテーション課題を遂行している被験者の視線の動きを測定するステップと、
固視点検出手段が、前記測定手段により測定された被験者の視線の動きに基づいて、固視点を検出するステップと、
判定手段が、前記固視点検出手段により検出された固視点の分布に基づいて、被験者が軽度認知機能障害であるかどうかを判定するステップと、
を含む。
【００１４】
上記目的を達成するために、本発明の第３の観点に係るプログラムは、
コンピュータを、
メンタル・ローテーション課題を遂行している被験者の視線の動きに関するデータを取得する取得手段、
前記取得手段により取得された被験者の視線の動きに関するデータに基づいて、固視点を検出する固視点検出手段、
前記固視点検出手段により検出された固視点の分布に基づいて、被験者が軽度認知機能障害であるかどうかを判定する判定手段、
として機能させる。
【発明の効果】
【００１５】
本発明は、メンタル・ローテーション課題を遂行している被験者の固視点の分布に基づいて、被験者が認知症の一歩手前である軽度認知機能障害であるかどうかを判定する判定手段を備えている。このため、本発明によれば、認知症の兆候を早期に判定することが可能な診断支援システム、診断支援システムの作動方法、及びプログラムを提供できる。
【図面の簡単な説明】
【００１６】
【図１】本発明の実施の形態に係る診断支援システムの概要を示す図である。
【図２】メンタル・ローテーション課題で用いる課題画像の一例を示す図である。
【図３】本発明の実施の形態に係る判定装置を示すブロック図である。
【図４】（ａ）は課題データベース、（ｂ）は解答結果データベース、（ｃ）は課題画像領域データベースのデータテーブルを示す図である。
【図５】（ａ）は固視点データベース、（ｂ）は被験者データベースのデータテーブルを示す図である。
【図６】本発明の実施の形態に係る表示装置を示すブロック図である。
【図７】本発明の実施の形態に係る眼球運動解析装置を示すブロック図である。
【図８】被験者の視線の動きを示す図であって、（ａ）は若年群の一例、（ｂ）は健常高齢群の一例、（ｃ）はＭＣＩ群の一例、（ｄ）はＡＤ群の一例を示す図である。
【図９】本発明の実施の形態に係るテスト実施処理を示すフローチャートである。
【図１０】本発明の実施の形態に係る視線データ生成処理を示すフローチャートである。
【図１１】本発明の実施の形態に係るＭＣＩ判定処理を示すフローチャートである。
【図１２】メンタル・ローテーション課題で用いる１６種類の図形を示す図である。
【図１３】被験者の視線の動きを示すヒートマップであって、（ａ）は若年群の一例、（ｂ）は健常高齢群の一例、（ｃ）はＭＣＩ群の一例、（ｄ）はＡＤ群の一例を示す図である。
【図１４】同一課題、回転課題９０°、回転課題１８０°に解答した被験者の固視点の分布を示すグラフであって、（ａ）は健常高齢群の平均値、（ｂ）はＭＣＩ群の平均値、（ｃ）はＡＤ群の平均値を示すグラフである。
【図１５】健常高齢群、ＭＣＩ群、ＡＤ群における参照画像の回転角度とＲＣ比の平均値との関係を示すグラフである。
【発明を実施するための形態】
【００１７】
以下、図面を参照しながら、本発明の実施形態に係る診断支援システム、診断支援システムの作動方法、及びプログラムを説明する。各図面においては、同一または同等の部分に同一の符号を付している。
【００１８】
（実施の形態）
図１〜図１１を参照して、本実施の形態に係る診断支援システム、診断支援システムの作動方法、及びプログラムについて説明する。本実施の形態に係る診断支援システムは、メンタル・ローテーション（Mental Rotation）課題を行っている最中の被験者の視線に関するデータに基づいて、被験者が軽度認知機能障害（Mild Cognitive Impairment：ＭＣＩ）であるかどうかを判定することにより、医師による診断を支援するシステムである。
【００１９】
ＭＣＩとは、認知機能に問題が生じているが、日常生活には支障がない状態である。アルツハイマー病（Alzheimer's Disease：ＡＤ）等の認知症は、ＭＣＩを罹患した後に発症することが知られており、ＭＣＩ患者のうち年間平均１２％はＡＤに移行する。ＭＣＩの段階で治療を開始することにより、認知機能の悪化を抑制でき、場合によっては認知症の発症自体を回避できる。
【００２０】
ＭＣＩを早期に発見するためには、認知症の症状のうち比較的早期に現れやすい非健忘症状に着目する必要がある。そこで、診断支援システムでは、非健忘症状の一つである視空間認知機能の障害を評価するために、メンタル・ローテーション課題を用いる。メンタル・ローテーション課題とは、視覚対象を頭の中でさまざまな方向に回転させる操作過程を行わせることにより、被験者の視空間認知機能の状態を評価する手法である。
【００２１】
図１は、本発明の実施の形態に係る診断支援システム１の構成を示すブロック図である。図１に示すように、診断支援システム１は、判定装置１００、表示装置２００、眼球運動解析装置３００を備える。表示装置２００、眼球運動解析装置３００は、判定装置１００と有線又は無線の通信回路（図示せず）を介して相互に通信可能に接続されている。
【００２２】
判定装置１００は、眼球運動解析装置３００で取得された被験者の視線データに基づいて、被験者がＭＣＩであるかどうかを判定する判定手段の一例である。表示装置２００は、判定装置１００の指示に基づいて、メンタル・ローテーション課題で用いる課題画像を被験者に向け表示する表示手段の一例である。眼球運動解析装置３００は、メンタル・ローテーション課題に取り組んでいる最中の被験者の眼球を撮影し、眼球の撮影データに基づいて被験者の視線の動きを解析する。眼球運動解析装置３００は、メンタル・ローテーション課題を遂行している被験者の視線の動きを測定する測定手段の一例である。眼球運動解析装置３００は、例えば、SR Research社製のEyeLink1000のような眼球運動解析装置である。
【００２３】
次に、診断支援システム１を使用して行われる認知症の診断支援手法について説明する。まず、判定装置１００は、通信回路を介してメンタル・ローテーション課題で用いる課題画像に関する画像データを表示装置２００に送信する。表示装置２００は、受信した画像データに基づいて、メンタル・ローテーション課題で用いる課題画像を表示する。
【００２４】
図２は、表示装置２００に表示される課題画像の例を示す。図２に示すように、課題画像の中央には参照画像が配置されている。また、課題画像の四隅には４つの選択肢画像１〜４が配置されている。選択肢画像１〜４は、参照画像を一定の角度（０°、９０°、１８０°、２７０°）で回転させたものである。なお、図２の課題画像はあくまでも一例であって、選択肢画像の数や配置、それぞれの選択肢画像における参照画像の回転角度、左右反転等は任意であり、被験者の年齢、性別、検査の所要時間等に応じてユーザ（検査者）が適宜選択し得る。
【００２５】
メンタル・ローテーション課題は、同一課題及び回転課題を含んでいる。同一課題とは、参照画像と同一の画像を選択肢画像から選択する課題である。回転課題とは、参照画像を頭の中で指示された角度だけ時計回りに回転させ、回転させた参照画像と同一の画像を選択肢画像から選択する課題である。このため、課題画像には、被験者が時計回りに参照画像を回転させる角度に関する指示が載せられている。例えば、図２の場合、課題画像の上部に「時計回りに１８０°回転」との指示が載せられている。
【００２６】
図２の具体例において、同一課題すなわち回転課題０°が出題された場合、選択肢画像４が正解である。回転課題９０°が出題された場合、選択肢画像２が正解である。回転課題１８０°が出題された場合、選択肢画像１が正解である。以下、理解を容易にするために、図２の具体例を被験者に出題する場合を例にして説明するが、診断支援システム１にて使用されるメンタル・ローテーション課題は、図２に示すものに限定されない。
【００２７】
図１に戻り、表示装置２００に課題画像が表示された後、判定装置１００は、被験者に対して課題に解答するように音声にて指示を出す。被験者は、参照画像を参照しながら複数の選択肢画像から正解と思われる画像を選択する。
【００２８】
被験者に対して課題が出題されたとき、眼球運動解析装置３００は、被験者の眼球の撮影を開始する。眼球運動解析装置３００は、撮影された視線に基づいて、時刻と、視線を示すベクトルの向きと、当該ベクトルの始点の位置（眼球の座標）と、を判別し、課題画像上の固視点（詳細は後述する）を検出する。そして、眼球運動解析装置３００は、時刻、視線のベクトル、その始点の位置（眼球の座標）を含む各種の視線データと、固視点に関するデータと、を生成する。
【００２９】
次に、被験者は、出題された課題の解答を口頭で述べる。例えば、回転課題１８０°が出題された場合、被験者は、選択肢画像１が正解である旨を口頭で述べる。すると、判定装置１００は、被験者の音声による解答を音声データとして受信する。判定装置１００は、受信した音声データに音声認識処理を施して、被験者の解答が正解かどうかを判定する。また、被験者の解答に関する音声データを受信した場合、眼球運動解析装置３００は、被験者の視線の動きに関する解析を停止する。なお、診断支援システム１では、検査者が被験者の音声による解答を認識し、被験者の解答が正解かどうかを判定し、その判定結果を判定装置１００に記憶させるように構成してもよい。
【００３０】
次に、眼球運動解析装置３００は、通信回路を介して測定した視線データと、固視点に関するデータと、を判定装置１００に送信する。判定装置１００は、受信した各種のデータを解析して、固視点の分布に基づいて被験者がＭＣＩであるかどうかを判定する。
【００３１】
次に、図３〜図７を参照して、診断支援システム１の各構成について説明する。まず、図３を参照して、判定装置１００の構成について説明する。図３は、判定装置１００のハードウェア構成を示すブロック図である。
【００３２】
判定装置１００は、指示受付部１１０、表示部１２０、集音部１３０、発音部１４０、通信部１５０、記憶部１６０、制御部１７０を備える。指示受付部１１０、表示部１２０、集音部１３０、発音部１４０、通信部１５０、記憶部１６０は、制御部１７０と有線又は無線の通信回路（図示せず）を介して相互に接続されている。
【００３３】
指示受付部１１０は、ユーザの指示を受け付け、受け付けた操作に対応する操作信号を制御部１７０に供給する。指示受付部１１０は、ボタン、キーボード、マウス、ジョイスティック等を含む。指示受付部１１０は、例えば、ユーザから課題の出題等に関する指示を受け付ける。
【００３４】
表示部１２０は、制御部１７０から供給される画像データに基づいて、ユーザに向けて各種の画像を表示する。表示部１２０は、例えば、表示パネルと表示パネル駆動回路とを備える。表示パネルは、液晶パネル、有機ＥＬ（Electro Luminescence）パネルによって実現される。表示パネル駆動回路は、制御部１７０から供給される画像データに基づいて表示パネルを駆動し、表示パネルに画像を表示させる。
【００３５】
なお、指示受付部１１０と表示部１２０とは、タッチパネルによって一体に構成されてもよい。タッチパネルは、所定の操作を受け付ける操作画面を表示する。また、タッチパネルは、操作画面においてユーザが接触操作を行った位置に対応する操作信号を制御部１７０に供給する。
【００３６】
集音部１３０は、音声を集音するマイク１３１を備える。集音部１３０は、制御部１７０の制御に従って、集音した音声を電気信号に変え、これをＡ／Ｄ（アナログ／デジタル）変換し、デジタル化された音声データを制御部１７０に供給する。
【００３７】
発音部１４０は、音声を放音するスピーカ１４１を備える。発音部１４０は、制御部１７０から供給された音声データをＤ／Ａ（デジタル／アナログ）変換して、スピーカ１４１に供給する。これにより、音声データが音声に変換され、音声がスピーカ１４１から出力される。
【００３８】
通信部１５０は、インターネット等の通信ネットワークに接続することが可能なインターフェースである。通信部１５０は、後述の表示装置２００の通信部、眼球運動解析装置３００の通信部と通信ネットワークを介して通信する。また、通信部１５０は、外部端末、サーバ、メモリ等とも通信する。
【００３９】
記憶部１６０は、ＲＡＭ（Random Access Memory）、ＲＯＭ（Read Only Memory）、ハードディスク装置等を備える。記憶部１６０は、制御部１７０により実行され、図９のテスト実施処理、図１１のＭＣＩ判定処理を実行させるプログラム、各種の画像、データ、アプリケーションを記憶する。また、記憶部１６０は、制御部１７０が処理を実行するためのワークメモリとして機能する。
【００４０】
記憶部１６０は、課題データベース１６１、解答結果データベース１６２、課題画像領域データベース１６３、固視点データベース１６４、被験者データベース１６５と、を備えている。以下、図４、図５を参照して、各データベースについて説明する。
【００４１】
図４（ａ）は、課題データベース１６１のデータテーブルを示す。課題データベース１６１は、表示装置２００に表示される課題画像ごとに、メンタル・ローテーション課題の種類（同一課題、回転課題９０°、回転課題１８０°）、参照画像、正答選択肢画像に関する情報等を記憶する。課題画像には、データベース内での検索等の便宜のために番号（インデックス）１、２、…を付与している。例えば、メンタル・ローテーション課題が３種類で参照画像が１６種類の場合、課題画像に付与される番号は合計で４８個となる。なお、課題データベース１６１は、図４（ａ）の具体例に限られず、メンタル・ローテーション課題の種類、参照画像ごとに形成された課題画像を記憶するものであれば、いかなる構成であってもよい。
【００４２】
課題データベース１６１は、課題の出題順序、音声により被験者に課題への解答を指示するタイミング等に関する情報を記憶してもよい。例えば、複数の参照画像を用いてメンタル・ローテーション課題を出題する場合、課題の出題順序は、まず課題画像の番号順に同一課題を出題し、次いで、課題画像の番号順に回転課題９０°を出題し、最後に課題画像の番号順に回転課題１８０°を出題する順序であってもよく、ユーザが任意の順序に設定してもよい。
【００４３】
図４（ｂ）は、解答結果データベース１６２のデータテーブルを示す。解答結果データベース１６２は、被験者ＩＤと共に、課題画像毎に被験者の解答が正解か否かに関する情報等を記憶する。
【００４４】
図４（ｃ）は、課題画像領域データベース１６３のデータテーブルを示す。課題画像領域データベース１６３は、課題画像毎に表示装置２００において参照画像及び各選択肢画像１〜４が表示されている領域の座標（位置）を記憶する。
【００４５】
図５（ａ）は、固視点データベース１６４のデータテーブルを示す。固視点データベース１６４は、被験者ＩＤと共に、被験者の固視点に関するデータを記憶する。固視点とは、被験者の視線が一定時間以上動かない状態で、被験者が見つめ続けた点のことである。固視点データベース１６４は、固視点が存在した時刻ｔ１、ｔ２、…、固視点の位置（Ｘ１，Ｙ１）、（Ｘ２，Ｙ２）、…、固視点が位置する領域（参照画像上、選択肢画像１〜４上、それ以外の領域のいずれか）を対応付けて記憶する。
【００４６】
図５（ｂ）は、被験者データベース１６５のデータテーブルを示す。被験者データベース１６５は、被験者ごとに算出された後述するＲＣ比（Run Count Ratio）、ＲＣ比に基づく判定装置１００の判定結果を記憶する。被験者が判定装置１００によりＭＣＩであると判定された場合、判定結果はＹＥＳであり、ＭＣＩでないと判定された場合、判定結果はＮＯである。
【００４７】
図３に戻り、制御部１７０は、ＣＰＵ（Central Processing Unit）等を備え、判定装置１００の各部の制御を行う。制御部１７０は、記憶部１６０に記憶されているプログラムを実行することにより、図９のテスト実施処理、図１１のＭＣＩ判定処理を実行する。
【００４８】
制御部１７０は、機能的には、テスト実施部１７１、解答判定部１７２、固視点領域判定部１７３、第１の固視数検出部１７４、第２の固視数検出部１７５、ＲＣ比算出部１７６、ＲＣ比判定部１７７を備える。制御部１７０は、記憶部１６０に記憶されたプログラムに従って動作することにより、テスト実施部１７１、解答判定部１７２、固視点領域判定部１７３、第１の固視数検出部１７４、第２の固視数検出部１７５、ＲＣ比算出部１７６、ＲＣ比判定部１７７として機能する。また、制御部１７０は、眼球運動解析装置３００から視線データを取得する取得手段としても機能する。
【００４９】
次に、判定装置１００の制御部１７０の各構成について説明する。テスト実施部１７１は、メンタル・ローテーション課題に関する課題画像を表示装置２００に表示させる。表示装置２００に課題画像を表示した後、テスト実施部１７１は、マイク１３１を作動状態で待機させる。マイク１３１が音声を受け付けた場合、テスト実施部１７１は、受け付けた音声に音声認識処理を施す。テスト実施部１７１は、当該音声が解答に相当する音声であると判断した場合、音声認識したテキストを一旦記憶部１６０に記憶すると共に、音声を受け付けた時刻を記憶する。また、テスト実施部１７１は、音声により課題を出題したタイミングと、被験者の口頭による解答を検出したタイミングと、を検出する。
【００５０】
解答判定部１７２は、課題データベース１６１を参照して、音声認識したテキストが示す被験者の解答と、課題の正解に関する情報とを比較して、被験者による解答が正解かどうか判定する。例えば、図２の具体例にて回転課題１８０°を出題した場合、解答判定部１７２は、被験者が選択肢画像１を選択したとき、出題された課題に正解したと判定する。
【００５１】
固視点領域判定部１７３は、表示装置２００に表示している課題画像を特定し、課題画像領域データベース１６３に記憶された参照画像、選択肢画像１〜４の領域の座標を参照して、固視点が属している領域（参照画像上か、選択肢画像１〜４上か、それ以外か）を特定する。また、固視点領域判定部１７３は、これらの情報を固視点データベース１６４に記憶する。
【００５２】
第１の固視数検出部１７４は、課題データベース１６１を参照して正答選択肢画像を把握した上で、固視点データベース１６４を参照して、正答選択肢画像上の固視数をカウントする。例えば、図２の具体例の場合において回転課題１８０°を出題したとき、第１の固視数検出部１７４は選択肢画像１上に分布する固視点をカウントする。
【００５３】
第２の固視数検出部１７５は、課題データベース１６１を参照して誤答選択肢画像を把握した上で、固視点データベース１６４を参照して、誤答選択肢画像上の固視数をカウントする。例えば、図２の具体例の場合において回転課題１８０°を出題したとき、第２の固視数検出部１７５は選択肢画像２〜４上に分布する固視点をカウントする。第１の固視数検出部１７４及び第２の固視数検出部１７５は、固視数を検出する固視数検出手段の一例である。
【００５４】
ＲＣ比算出部１７６は、正答選択肢画像上の固視数と誤答選択肢画像上の固視数とに基づいて、ＲＣ比を算出するＲＣ比算出手段の一例である。ＲＣ比は、正答選択肢画像上の固視数に対する誤答選択肢画像上の固視数の比を示し、被験者の固視点の分布を定量的に評価する指標である。ＲＣ比の値が大きい場合、誤答選択肢画像上の固視数が相対的に多いため、視覚探索戦略の効率が悪い。ＲＣ比の値が小さい場合、誤答選択肢画像上の固視数が相対的に少ないため、視覚探索戦略の効率が良好である。
【００５５】
ＲＣ比は、正答選択肢画像は１つ、誤答選択肢画像がｎ個の場合、以下の式で表される。
ＲＣ比＝（誤答選択肢画像上の固視数÷ｎ）／正答選択肢画像上の固視数
【００５６】
例えば、図２の具体例の場合、正答選択肢画像は１つであり、誤答選択肢画像は３つであるため、ＲＣ比は、以下の式で表される。
ＲＣ比＝（誤答選択肢画像上の固視数÷３）／正答選択肢画像上の固視数
【００５７】
ＲＣ比判定部１７７は、ＲＣ比算出部１７６により算出されたＲＣ比が所定の比より大きいか否かを比較して、被験者がＭＣＩであるかどうかを判定する判定手段の一例である。ＲＣ比が所定の比より大きい場合、ＲＣ比判定部１７７は、被験者がＭＣＩであると判定する。ＲＣ比が所定の比より大きくない場合、ＲＣ比判定部１７７は、被験者がＭＣＩでないと判定する。ＲＣ比判定部１７７は、性別・年齢等の他のパラメータも考慮して、被験者がＭＣＩであるかどうかを判定してもよい。また、ＲＣ比判定部１７７は、判別指標として特に有用である参照画像を１８０°回転させるメンタル・ローテーション課題を出題した場合のＲＣ比に基づいて、被験者がＭＣＩ患者であるかどうかを判定してもよい。
【００５８】
ＲＣ比の所定の比は、健常高齢者、ＭＣＩ患者からなる母集団にメンタル・ローテーション課題を実行させ、各被験者の視線データを分析することにより、ユーザが任意の値に設定できる。このため、メンタル・ローテーション課題を実行した被験者に関する各種のデータを記憶部１６０に蓄積し、蓄積されたデータに基づいてＲＣ比の所定の比を逐次更新してもよい。また、ＲＣ比の所定の比は、被験者の年齢、性別等を考慮して設定してもよい。
【００５９】
誤答選択肢画像の個数ｎ＝３の場合、ＲＣ比の所定の比は、好ましくは、約０．３０〜約０．６０の範囲内、さらに好ましくは、約０．４０〜約０．５０の範囲内に設定される。例えば、ＲＣ比の所定の比を０．４７に設定した場合、健常高齢者とＭＣＩ患者とを感度８０％、特異度８０％の正診率で判別できる。
【００６０】
なお、感度とは、疾患に罹患した患者のうち検査結果が陽性である者の割合であり、特異度とは、疾患に罹患していない患者のうち検査結果が陰性である者の割合である。所定の比を０．４７に設定した場合、感度、特異度のいずれも高い値となるため、被験者にメンタル・ローテーション課題を実行させるだけで、当該被験者がＭＣＩであるかどうかを判定できる。
【００６１】
判定装置１００は、専用のシステムで実現してもよく、小型汎用コンピュータを用いて実現してもよい。判定装置１００が実行する処理は、例えば、上述の物理的な構成を備える装置が、記憶部１６０に記憶されたプログラムを実行することによって実現される。本発明は、プログラムとして実現されてもよく、そのプログラムが記録された記憶媒体として実現されてもよい。
【００６２】
次に、図６を参照して、表示装置２００の構成について説明する。図６は、表示装置２００のハードウェア構成を示すブロック図である。表示装置２００は、表示部２１０、通信部２２０、記憶部２３０、制御部２４０を備える。表示部２１０、通信部２２０、記憶部２３０は、制御部２４０と有線又は無線の通信回路で相互に接続されている。
【００６３】
表示部２１０は、判定装置１００の通信部１５０から送信された画像データに基づいて、被験者に向けてメンタル・ローテーション課題で用いる課題画像を表示する表示手段の一例である。表示部２１０は、例えば、図２に示すように参照画像が中央に配置され、４つの選択肢画像１〜４が四隅に配置された課題画像を表示する。
【００６４】
表示部２１０は、例えば、表示パネルと表示パネル駆動回路とを備える。表示パネルは、液晶パネル、有機ＥＬパネルによって実現される。表示パネル駆動回路は、判定装置１００の通信部１５０から供給される画像データに従って表示パネルを駆動し、表示パネルに課題画像を表示させる。
【００６５】
通信部２２０は、インターネット等の通信ネットワークに接続することが可能なインターフェースである。通信部２２０は、判定装置１００の通信部１５０とネットワークを介して通信する。
【００６６】
記憶部２３０は、制御部２４０が動作するためのメインメモリ及びワークメモリとして機能する。記憶部２３０は、例えば、ＲＡＭ、ＲＯＭ、ハードディスク、フラッシュメモリ等のメモリ装置を含む。記憶部２３０は、各種の情報、データ、アプリケーション、制御部２４０によって実行されるプログラム等を記憶する。
【００６７】
制御部２４０は、例えば、ＣＰＵ等を備え、表示装置２００の各部の制御を行う。制御部２４０は、記憶部２３０に記憶されているプログラムを実行することにより、メンタル・ローテーション課題で用いる課題画像を表示させる処理を実行する。
【００６８】
次に、図７を参照して、眼球運動解析装置３００の構成について説明する。図７は、眼球運動解析装置３００のハードウェア構成を示すブロック図である。眼球運動解析装置３００は、撮影部３１０、通信部３２０、記憶部３３０、制御部３４０を備える。撮影部３１０、通信部３２０、記憶部３３０は、制御部３４０と有線又は無線の通信回路で相互に接続されている。
【００６９】
撮影部３１０は、メンタル・ローテーション課題が遂行されている間の被験者の眼球を撮影する。撮影部３１０は、例えば、ビデオカメラ、ＣＣＤ（Charge-Coupled Device）、ＣＭＯＳ（Complementary Metal Oxide Semiconductor）イメージセンサ等を備える。撮影部３１０のサンプリングレートは任意であるが、約５００Ｈｚ〜約２０００Ｈｚであることが好ましく、約１０００Ｈｚであることがさらに好ましい。
【００７０】
図８は、被験者に回転課題１８０°を出題した場合に、撮影部３１０が撮影した被験者の眼球位置に基づいて解析した視線の動きを示す図であって、（ａ）は若年群の一例、（ｂ）は健常高齢群の一例、（ｃ）はＭＣＩ群の一例、（ｄ）はＡＤ群の一例を示す。図８の線は被験者が視線を動かした軌跡であり、点は固視点である。
【００７１】
図７に戻り、通信部３２０は、インターネット等の通信ネットワークに接続することが可能なインターフェースである。通信部３２０は、前述の判定装置１００の通信部１５０とネットワークを介して通信する。例えば、通信部３２０は、通信部１５０から眼球の撮影開始又は撮影終了に関する指示を受け付け、撮影開始又は撮影終了の指示に関する情報を制御部３４０に送信する。
【００７２】
記憶部３３０は、ＲＡＭ、ＲＯＭ、フラッシュメモリ、ハードディスク等のメモリ装置を備え、制御部３４０により実行され、図１０の視線データ生成処理を実行させるプログラムや各種の情報、データ、アプリケーションを記憶する。また、記憶部３３０は、制御部３４０が処理を実行するためのワークメモリとして機能する。
【００７３】
制御部３４０は、例えば、ＣＰＵ等を備え、眼球運動解析装置３００の各部の制御を行う。制御部３４０は、機能的には、視線検出部３４１、固視点検出部３４２を備える。制御部３４０は、記憶部３３０に記憶されているプログラムを実行することにより、撮影部３１０が取得した撮影データに基づいて、メンタル・ローテーション課題が遂行されている間の視線データ、固視点に関するデータを生成する視線データ生成処理を実行する。
【００７４】
視線検出部３４１は、撮影部３１０が撮影した被験者の眼球位置に関する撮影データに基づいて、被験者の視線の動きを検出する。より詳細に説明すると、視線検出部３４１は、例えば、被験者の眼球に関する撮影データに基づいて、時刻、視線を示すベクトルの向き、視線を示すベクトルの始点の位置（眼球の座標）を検出する。
【００７５】
固視点検出部３４２は、眼球運動解析装置３００が検出した視線の動きに関するデータに基づいて、視線が一定時間以上動いていない点を固視点として検出する固視点検出手段の一例である。より詳細に説明すると、固視点検出部３４２は、被験者が解答を発声したタイミングを基準として、音声による課題の出題から被験者の解答の検出までの視線データの履歴を先頭から順番に確認し、一定時間以上、視線が動いていない点を固視点として検出し、固視点が発生した時刻と視線の方向を特定する。このとき、固視点検出部３４２は、視線の位置が基準領域内に留まっている場合に、視線が動いていないと判断する。
【００７６】
次に、図９のフローチャートを参照して、判定装置１００が実行するテスト実施処理について説明する。判定装置１００は、記憶部１６０に記憶されたプログラムの実行中にテスト実施処理を実行する。理解を容易にするために、図２の具体例を用いて被験者に課題を遂行させる場合を例にして説明する。
【００７７】
まず、通信部１５０は、課題データベース１６１からメンタル・ローテーション課題に用いる画像データを読み取り、表示装置２００に送信する（ステップＳ１０１）。出題される複数の課題の順序は、ユーザにより予め決められており、通信部１５０は、出題順序が決められた一連の課題に関する画像データを送信する。表示装置２００は、当該画像データを受信し、被験者に向けて画像データに基づく課題画像を表示する。表示装置２００に表示される課題画像には、参照画像を時計回りに回転させる角度である回転角度（例えば、０°、９０°、１８０°）に関する指示が含まれている。
【００７８】
次に、テスト実施部１７１は、眼球運動解析装置３００に被験者の眼球の撮影開始を指示する（ステップＳ１０２）。判定装置１００の通信部１５０は、眼球運動解析装置３００の通信部３２０に上記の指示を通知し、眼球運動解析装置３００の撮影部３１０は、被験者の眼球の撮影を開始する。以後、テスト実施部１７１は、マイク１３１から被験者の音声を取り込んで記憶部１６０に記憶させ、被験者の音声による解答を認識する音声認識処理を実行する。テスト実施部１７１による被験者の音声の取り込み、記憶、音声認識処理は、被験者の解答の検出又はタイムアウトまで繰り返し行なわれる。
【００７９】
次に、発音部１４０は、音声によりユーザに対して課題に解答するよう要求する（ステップＳ１０３）。例えば、スピーカ１４１は、「回転角度に関する指示を読み、選択肢画像１から４の中から適切な画像を選択して下さい」などと、音声により被験者に指示を与える。
【００８０】
課題を通知された被験者は、課題の意味を把握し、正解と思われる選択肢画像の番号を口頭で述べる。すると、集音部１３０は、被験者の音声を集音し、音声データを受信する（ステップＳ１０４）。
【００８１】
次に、テスト実施部１７１は、被験者の解答に相当する音声を認識したとき、眼球運動解析装置３００に被験者の眼球の撮影終了を指示する（ステップＳ１０５）。判定装置１００の通信部１５０は、眼球運動解析装置３００の通信部３２０に上記の指示を通知し、眼球運動解析装置３００の撮影部３１０は、被験者の眼球の撮影を終了する。
【００８２】
次に、解答判定部１７２は、集音部１３０が受信した音声データと、出題した課題に対応する正解に関する情報とを比較して、被験者の解答が正解かどうか判定する（ステップＳ１０６）。被験者の解答が正解の場合（ステップＳ１０６；ＹＥＳ）、被験者が課題に正解した旨を解答結果データベース１６２に記憶する（ステップＳ１０７）。被験者の解答が不正解の場合（ステップＳ１０６；ＮＯ）、被験者が課題に不正解であった旨を解答結果データベース１６２に記憶する（ステップＳ１０８）。
【００８３】
次に、出題した課題が最後の課題かどうかを判定する（ステップＳ１０９）。出題した課題が最後の課題の場合（ステップＳ１０９；ＹＥＳ）、処理を終了する。出題した課題が最後の課題でない場合（ステップＳ１０９；ＮＯ）、テスト実施部１７１は、設定された順序に基づいて新たな課題画像を表示するように表示装置２００に指示し（ステップＳ１１０）、処理をステップＳ１０２に戻す。以上のステップにより、判定装置１００が実行するテスト実施処理が終了する。
【００８４】
次に、図１０を参照して、テスト実施処理が終了した後、眼球運動解析装置３００の制御部３４０が実行する視線データ生成処理について説明する。眼球運動解析装置３００は、記憶部３３０に記憶されたプログラムの実行中に視線データ生成処理を実行する。
【００８５】
まず、視線検出部３４１は、撮影部３１０の撮影データに基づいて、被験者の視線の動きを検出する（ステップＳ２０１）。より詳細に説明すると、視線検出部３４１は、時刻、視線のベクトル、その始点の位置（視線の座標）を含む視線データを生成し、視線データを記憶部３３０に記憶させる。
【００８６】
次に、固視点検出部３４２は、記憶部３３０に記憶された視線データと、表示装置２００の画面の座標に関する情報とに基づいて、被験者が固視した固視点を検出する（ステップＳ２０２）。固視点の位置は、例えば、図５（ａ）に示すように二次元座標（Ｘ１，Ｙ１）のように表現される。固視点検出部３４２は、固視点の位置に関するデータを記憶部３３０に記憶させる。
【００８７】
次に、通信部３２０は、記憶部３３０の各種の視線データ、固視点に関するデータを、ネットワークを介して判定装置１００の通信部１５０に送信する（ステップＳ２０３）。制御部１７０は、通信部１５０から視線データを受け取り、記憶部１６０に記憶する。また、制御部１７０は、固視点に関するデータを時刻に関するデータと共に固視点データベース１６４に記憶する。固視点データベース１６４に記憶される時刻は実時間であって、いわゆる標準時を意味していない。以上のステップにより視線データ生成処理が終了する。
【００８８】
次に、図１１のフローチャートを参照して、視線データ生成処理が終了した後、制御部１７０が実行するＭＣＩ判定処理について説明する。判定装置１００は、記憶部１６０に記憶されたプログラムの実行中にＭＣＩ判定処理を実行する。
【００８９】
まず、固視点領域判定部１７３は、固視点に関するデータに基づいて各固視点の分布を検出する（ステップＳ３０１）。より詳細に説明すると、固視点領域判定部１７３は、課題データベース１６１から正解に関するデータを取得して、ステップＳ２０２で検出された各固視点が、正答選択肢画像を固視したときの固視点であるか、それとも誤答選択肢画像を固視したときの固視点であるか、を判定する。
【００９０】
より詳細に説明すると、固視点領域判定部１７３は、表示装置２００に表示された課題画像を特定し、図４（ｃ）に示す課題画像領域データベース１６３に記憶された参照画像、選択肢画像１〜４の領域の座標を参照する。また、課題データベース１６１に記憶されたデータに基づいて、表示装置２００に表示された課題画像において、どの選択肢画像が正答選択肢画像で、どの選択肢画像が誤答選択肢画像であるかを判別する。次いで、固視点領域判定部１７３は、被験者の固視点の位置情報と、表示装置２００に表示されている選択肢画像１〜４の位置情報と、を比較して、それぞれの固視点が正答選択肢画像を固視したときの固視点であるか、それとも誤答選択肢画像を固視したときの固視点であるか、を判定する。そして、固視点領域判定部１７３は、固視点の領域に関するデータを固視点データベース１６４に記憶させる。
【００９１】
次に、第１の固視数検出部１７４は、検出された固視点に基づいて、正答選択肢画像を固視した固視数を検出する（ステップＳ３０２）。例えば、図２の具体例の場合において回転課題１８０°を出題したとき、第１の固視数検出部１７４は選択肢画像１上に分布する固視点をカウントする。第１の固視数検出部１７４は、算出した正答選択肢画像上の固視数を被験者データベース１６５に記憶させる。
【００９２】
次に、第２の固視数検出部１７５は、検出された固視点に基づいて、誤答選択肢画像を固視した固視数を検出する（ステップＳ３０３）。例えば、図２の具体例の場合において回転課題１８０°を出題したとき、第２の固視数検出部１７５は選択肢画像２〜４上に分布する固視点をカウントする。第２の固視数検出部１７５は、算出した誤答選択肢画像上の固視数を被験者データベース１６５に記憶させる。
【００９３】
次に、ＲＣ比算出部１７６は、正答選択肢画像上の固視数、誤答選択肢画像上の固視数に基づいて、ＲＣ比を算出する（ステップＳ３０４）。ＲＣ比算出部１７６は、算出したＲＣ比を被験者データベース１６５に記憶させる。
【００９４】
次に、ＲＣ比判定部１７７は、ステップＳ３０４で算出されたＲＣ比が所定の比より大きいか否かを判定する（ステップＳ３０５）。ＲＣ比の所定の比は、健常高齢者とＭＣＩ患者とを識別可能な任意の値である。
【００９５】
ＲＣ比が所定の比より大きい場合（ステップＳ３０５；ＹＥＳ）、ＲＣ比判定部１７７は、被験者がＭＣＩであると判定する（ステップＳ３０６）。そして、ＲＣ比判定部１７７は、被験者がＭＣＩである旨を被験者データベース１６５に記憶させる。
【００９６】
ＲＣ比が所定の比より大きくない場合（ステップＳ３０５；ＮＯ）、ＲＣ比判定部１７７は、被験者がＭＣＩでないと判定する（ステップＳ３０７）。そして、ＲＣ比判定部１７７は、被験者がＭＣＩでない旨を被験者データベース１６５に記憶させる。以上のステップによりＭＣＩ判定処理が終了する。
【００９７】
医師等は、判定装置１００の指示受付部１１０を操作して、被験者データベース１６５に記憶されたＭＣＩの判定結果を表示部１２０に表示させる。次に、医師等は、表示部１２０に表示された判定結果、他の検査データ、被験者の所見等を総合的に考慮して、対象被験者がＭＣＩであるか否かを最終的に診断する。そして、被験者がＭＣＩであると最終的に診断された場合、医師等は、当該被験者に対して適切な投薬、認知行動療法を開始する。
【００９８】
（実施例）
次に、図８、図１２〜図１５を参照して、メンタル・ローテーション課題を遂行中の被験者の視線を解析して、ＲＣ比を用いたＭＣＩの判定手法の有用性を検証した結果を示す。
【００９９】
本検証の対象者は、若年群、健常高齢群（７５．３±６．８歳）、ＭＣＩ群（７６．５±５．４歳）、ＡＤ群（７８．２±５．０歳）の各１５例である。１つの参照画像と４つの選択肢画像とを含む課題画像を表示画面に表示させ、各被験者に前述のメンタル・ローテーション課題を行わせた。メンタル・ローテーション課題で用いる課題画像は、図２に示す形式である。各選択肢画像は、被験者が垂直方向１８°、水平方向２４°の視角で視認できる位置に配置されている。
【０１００】
図１２は、本検証で使用した１６種類の図形を示す。１６種類の図形は、幾何学図形又はアルファベットである。図１２に示す１６種類の図形を用いて、図２に示す形式で１つの参照画像と４つの選択肢画像とを含む課題画像を生成した。各被験者には、１６種類の課題画像を用いて、同一課題、回転課題９０°、回転課題１８０°の３つの課題を出題した。つまり、各被験者には、合計４８問の課題を出題した。
【０１０１】
被験者が課題を遂行している間、被験者の反応時間、正答率を測定した。また、眼球運動解析装置（SR Research社製 EyeLink1000）を用いて視線データを測定した。眼球運動解析装置の撮像部のサンプリングレートは１０００Ｈｚであった。眼球運動解析装置が測定した視線データは、１問あたりの固視数、固視時間、サッケード（saccade）時間、サッケード振幅、固視点の位置を含む。
【０１０２】
サッケード時間は、被験者が視線を連続的に、かつ衝動的に動かし続けた時間であり、言い換えると、ある固視点から他の固視点への視線の移動に要した時間である。サッケード振幅は、サッケード時間の間に移動させた視線の振幅である。視線の振幅は、ある固視点から他の固視点までに視線を移すために動かした眼球の角度変化で表現される。
【０１０３】
以下、検証結果について説明する。図８は、本検証における各群の視線の動きの代表例を示す。図８の具体例は、図２の課題画像を用いて回転課題１８０°を出題した場合であり、正答選択肢画像は選択肢画像１である。図８に示すように、若年群の一例、健常高齢群の一例では、速やかに正答選択肢画像１へ視線が向いている。特に、若年群の一例は、他の群の例と比べてわずかな固視数であっても、正答選択肢画像１を視認できている。一方、ＭＣＩ群の一例、ＡＤ群の一例では、正答選択肢画像１以外にも、誤答選択肢画像２〜４にも視線が向いている。特に、ＡＤ群では、中心の参照画像と周囲の選択肢画像を何度も往復している。
【０１０４】
図１３は、図８と同一のデータに基づいて、各群の代表例における固視点の分布をヒートマップで示した図である。図１３では、固視点の多い領域（ずっと見ている領域）はグラデーションの領域が大きく、固視点の少ない領域（少しだけ見ている領域）はグラデーションの領域が小さく示されている。図１３に示すように、若年群、健常高齢群では、中心の参照画像と正答選択肢画像１へ視線が向いており、誤答選択肢画像２〜４へ視線が向いていない。一方、ＭＣＩ群、ＡＤ群では、正答選択肢画像１だけでなく、誤答選択肢画像２〜４にも同程度に視線が向いている。
【０１０５】
図１４は、図８と同一のデータに基づいて、各群における固視点の分布を表現したグラフである。各棒グラフは、参照画像に分布する固視点、１つの正答選択肢画像に分布する固視点、３つの誤答選択肢画像に分布する固視点、それ以外の空白部分に分布する固視点に分けられている。ＭＣＩ群、ＡＤ群の正答選択肢固視割合は、健常高齢群の正答選択肢固視割合よりも有意に低かった。このことは、ＭＣＩ群、ＡＤ群ともに健常高齢群よりも視線探索戦略の効率が悪いことを示している。
【０１０６】
図１５は、各群における参照画像の回転角度とＲＣ比の平均値との関係を示すグラフである。回転課題９０°、回転課題１８０°において、ＭＣＩ群、ＡＤ群のＲＣ比の平均値は、健常高齢群のＲＣ比の平均値よりも有意に高かった。また、各群のＲＣ比の平均値に対してＲＯＣ（Receiver Operating Characteristic）解析を実行した結果、回転課題１８０°におけるＲＣ比 のカットオフ値を０．４７に設定した場合、感度８０％、特異度８０％という極めて良好な正診率でＭＣＩ患者と高齢健常者とを区別できることが判明した。このことは、回転課題１８０°のＲＣ比がＭＣＩ患者を判別するための指標として特に有用であることを意味している。
【０１０７】
ＡＤ群は、回転課題９０°及び回転課題１８０°において健常高齢群よりも正答率が低く、全ての課題において健常高齢群よりも反応時間が長かった。また、ＡＤ群は、１つの課題あたりの固視数が健常高齢群よりも多く、反応時間と強い正の相関を示した。ＡＤ群は、健常高齢群よりもサッケード振幅が短縮したが、固視時間、サッケード時間は健常高齢群との間で有意な差を認めなかった。このことは、正答率、反応時間は、健常高齢者とＡＤ患者とを区別するための指標として有用であることを意味している。
【０１０８】
以上説明したとおり、実施の形態に係る診断支援システム１は、メンタル・ローテーション課題を遂行している被験者の固視点の分布に基づいて、被験者がＭＣＩであるかどうかを判定する判定手段を備えている。このため、比較的早期に現れやすい非健忘症状の代表例である視空間認知機能の状態に基づいてＭＣＩの判定を行っているため、認知症の兆候を早期に、高い精度で発見できる。
【０１０９】
また、実施の形態に係る診断支援システム１は、正答選択肢画像上の固視数と誤答選択肢画像上の固視数とに基づいて、ＲＣ比を算出するＲＣ比算出手段を備えている。このため、課題遂行中の被験者の視線の動きをＲＣ比により定量的に評価できるため、ＭＣＩ患者をさらに高い精度で発見できる。
【０１１０】
そして、本発明はこれに限られず、以下に述べる変形も可能である。
【０１１１】
（変形例）
上記実施の形態においては、判定装置１００、表示装置２００、眼球運動解析装置３００が別々の装置であったが、本発明はこれに限定されない。例えば、判定装置１００、表示装置２００、眼球運動解析装置３００の全部又は一部を一体に構成してもよい。
【０１１２】
上記実施の形態においては、課題画像の中央に参照画像、課題画像の四隅に４つの選択肢画像が配置されていたが、本発明はこれに限定されない。課題画像における参照画像及び選択肢画像の配置は任意であり、選択肢画像の数も任意である。例えば、課題画像の上部に参照画像、課題画像の下部に選択肢画像を配置してもよい。
【０１１３】
上記実施の形態においては、表示装置２００に被験者に指示する回転角度に関する情報を含む課題画像を表示させていたが、本発明はこれに限られない。例えば、被験者に指示する回転角度に関する情報は、発音部１４０のスピーカ１４１から発音させてもよい。例えば、スピーカ１４１に「参照画像を１８０°回転させ、一致する選択肢画像を選択して下さい」等の指示を発音させてもよい。
【０１１４】
上記実施の形態においては、判定装置１００が課題データベース１６１に基づいてメンタル・ローテーション課題を出題していたが、本発明はこれに限定されない。例えば、医師、検査技師等のユーザが指示受付部１１０を操作してメンタル・ローテーション課題を出題してもよい。
【０１１５】
上記実施の形態においては、眼球運動解析装置３００がメンタル・ローテーション課題を行っている最中の被験者の視線の動き、固視点を検出していたが、本発明はこれに限られない。例えば、眼球運動解析装置３００が撮影した被験者の眼球に関する撮影データを判定装置１００に送信し、判定装置１００が被験者の視線の動き、固視点、固視数を検出してもよい。また、外部のサーバ、コンピュータ等が被験者の視線の動き、固視点、固視数を検出してもよい。
【０１１６】
上記実施の形態においては、判定装置１００が正答選択肢画像上の固視点、誤答選択肢画像上の固視点を検出し、ＲＣ比を算出し、ＲＣ比と所定の比とを比較していたが、本発明はこれに限られない。例えば、眼球運動解析装置３００、外部のサーバ、コンピュータ等が、正答選択肢画像上の固視点の検出、誤答選択肢画像上の固視点の検出、ＲＣ比の算出、ＲＣ比と所定の比との比較の全部又は一部を行ってもよい。また、これらの処理をユーザ自身が行ってもよい。
【０１１７】
上記実施の形態においては、ＲＣ比に基づいて被験者がＭＣＩであるかどうかを判定していたが、本発明はこれに限られない。正答選択肢画像上の固視数と誤答選択肢画像上の固視数とに基づいて、いかなる定量的な指標を用いるかは任意である。例えば、正答選択肢画像上の固視数と誤答選択肢画像上の固視数との差分を定量的な指標として用いてもよい。
【０１１８】
上記実施の形態においては、判定装置１００は記憶部１６０に記憶されたプログラムに基づいて動作していたが、本発明はこのようなものに限定されない。例えば、プログラムにより実現された機能的な構成をハードウェアにより実現してもよい。
【０１１９】
上記実施の形態においては、課題データベース１６１、解答結果データベース１６２、課題画像領域データベース１６３、固視点データベース１６４、被験者データベース１６５は、判定装置１００の内部に設けられた記憶部１６０に記憶されていたが、本発明はこのようなものに限定されない。例えば、課題データベース１６１、解答結果データベース１６２、課題画像領域データベース１６３、固視点データベース１６４、被験者データベース１６５は、その全部又は一部がＬＡＮ（Local Area Network）等を介して外部サーバ、コンピュータ等に記憶されてもよい。
【０１２０】
上記実施の形態においては、診断支援システム１は被験者がＭＣＩであるかどうかを判定する判定手段（ＭＣＩ判定手段）を備えていたが、本発明はこれに限られない。例えば、被験者がＭＣＩであると判定された場合に、当該被験者がＡＤであるかどうかを判定するＡＤ判定手段をさらに備えていてもよい。被験者が遂行したメンタル・ローテーション課題の正答率又は反応時間を記憶部１６０に記憶させ、正答率が所定の比より小さい場合、又は反応時間が閾値よりも大きい場合に、被験者がＡＤであると判定するように構成してもよい。
【０１２１】
上記の実施形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【０１２２】
１      診断支援システム
１００  判定装置
１１０  指示受付部
１２０  表示部
１３０  集音部
１３１  マイク
１４０  発音部
１４１  スピーカ
１５０  通信部
１６０  記憶部
１６１  課題データベース
１６２  解答結果データベース
１６３  課題画像領域データベース
１６４  固視点データベース
１６５  被験者データベース
１７０  制御部
１７１  テスト実施部
１７２  解答判定部
１７３  固視点領域判定部
１７４  第１の固視数検出部
１７５  第２の固視数検出部
１７６  ＲＣ比算出部
１７７  ＲＣ比判定部
２００  表示装置
２１０  表示部
２２０  通信部
２３０  記憶部
２４０  制御部
３００  眼球運動解析装置
３１０  撮影部
３２０  通信部
３３０  記憶部
３４０  制御部
３４１  視線検出部
３４２  固視点検出部
【図１】
2018175052.tif 000003
【図２】
2018175052.tif 000004
【図３】
2018175052.tif 000005
【図４】
2018175052.tif 000006
【図５】
2018175052.tif 000007
【図６】
2018175052.tif 000008
【図７】
2018175052.tif 000009
【図８】
2018175052.tif 000010
【図９】
2018175052.tif 000011
【図１０】
2018175052.tif 000012
【図１１】
2018175052.tif 000013
【図１２】
2018175052.tif 000014
【図１３】
2018175052.tif 000015
【図１４】
2018175052.tif 000016
【図１５】
2018175052.tif 000017